(57)【要約】【課題】配電盤間の母線位置が異なる場合においても連結盤が不要で、容易に列盤接続することが可能な配電盤を提供する。  【解決手段】遮断器を含む主回路機器および継電器を含む補助回路機器をそれぞれ組み込んだ複数の制御ユニット、給電母線、接地母線、および出力ケーブルを具備し、前記母線からの電力を前記制御ユニットにより制御して前記ケーブルを介して外部に出力する単位配電盤を複数並置して列盤接続してなる配電盤において、列盤接続される単位配電盤に組み込まれた給電母線４ａの少なくとも一端には、隣接する単位配電盤に搭載された母線との相対位置のずれを吸収して両者を電気的に接続するための可撓性接続導体の一端を予め接続してなる。【選択図】図４
2010206894.tif 000002
【特許請求の範囲】
【請求項１】
遮断器を含む主回路機器および継電器を含む補助回路機器をそれぞれ組み込んだ複数の制御ユニット、給電母線、接地母線、および出力ケーブルを具備し、前記母線からの電力を前記制御ユニットにより制御して前記ケーブルを介して外部に出力する単位配電盤を複数並置して列盤接続してなる配電盤において、
列盤接続される単位配電盤に組み込まれた母線の少なくとも一端には、隣接する単位配電盤に搭載された母線との相対位置のずれを吸収して両者を電気的に接続するための可撓性接続導体の一端を予め接続してなることを特徴とする配電盤。
【請求項２】
請求項１記載記載の配電盤において、
可撓性接続導体の他端には隣接する単位配電盤に搭載された母線に締結するための貫通孔を具備した接続端子を備えたことを特徴とする配電盤。
【発明の詳細な説明】
【技術分野】
【０００１】
本発明は、配電盤にかかり、特に単位配電盤を複数個並置してなる配電盤に関する。
【背景技術】
【０００２】
一般に、配電盤は、その内部に遮断器、母線、ケーブルヘッド等の機器を収容し、母線から遮断器、ケーブルヘッドを介して負荷に電力を供給するようにしている。
【０００３】
配電盤は、一般に、特許文献１に示されるように隔壁により、遮断器を収容した遮断器室と母線およびケーブルを収容した導電室とに分けて構成される。
【０００４】
また、このように構成された配電盤（単位配電盤）は、その複数台を列状に配置し列盤接続して使用される。この場合、各単位配電盤に配置される給電母線および接地母線はそれぞれ直線状に水平に配置し接続される。
【先行技術文献】
【特許文献】
【０００５】
【特許文献１】特開昭６０−２３４４０４号公報
【発明の概要】
【発明が解決しようとする課題】
【０００６】
前述したように配電盤は、単位配電盤を並置して列盤接続して用いられる。列盤接続される各単位配電盤には、一般に共通の平板からなる三相の共通母線を具備している。このため、列盤接続された既設の配電盤に新規の単位配電盤を増設する場合、列盤接続された配電盤の母線と新規に増設された単位配電盤の母線とは、直線状に配置して例えば連絡片を介して接続する。
【０００７】
このように単位配電盤内に収容した母線を直線状に配置して列盤接続する従来の配電盤においては、単位配電盤の改造時あるいは新盤との交換時に、交換する盤と既設の盤の型式（例えば母線配置）が異なる場合、あるいは隣接する配電盤の据え付け位置に誤差がある場合、列盤を構成することが困難あるいは不可能となる。
【０００８】
通常、このような場合において列盤を構成する場合には、単位配電盤の間に連結するための連結盤を挟み込み、この連結盤を中継して単位配電盤を列盤接続しなければならない。
【０００９】
本発明は、このような問題点に鑑みてなされたもので、盤間で母線位置が異なる場合においても連結盤が不要で、容易に列盤接続することが可能な配電盤を提供するものである。
【課題を解決するための手段】
【００１０】
本発明は上記課題を解決するため、次のような手段を採用した。
【００１１】
遮断器を含む主回路機器および継電器を含む補助回路機器をそれぞれ組み込んだ複数の制御ユニット、給電母線、接地母線、および出力ケーブルを具備し、前記母線からの電力を前記制御ユニットにより制御して前記ケーブルを介して外部に出力する単位配電盤を複数並置して列盤接続してなる配電盤において、列盤接続される単位配電盤に組み込まれた母線の少なくとも一端には、隣接する単位配電盤に搭載された母線との相対位置のずれを吸収して両者を電気的に接続するための可撓性接続導体の一端を予め接続してなる。
【発明の効果】
【００１２】
本発明は、以上の構成を備えるため、単位配電盤間で母線位置が異なる場合においても連結盤が不要で、容易に列盤接続することが可能となる。
【図面の簡単な説明】
【００１３】
【図１】実施形態にかかる配電盤を説明する図（正面図）である。
【図２】図１のＡ−Ａ断面図である。
【図３】図２のＢ−Ｂ断面図である。
【図４】単位配電盤を列盤接続した例を説明する図（正面図）である。
【図５】直線上に配置されていない母線を接続するための接続具を説明する図である。
【図６】直線上に配置されていない接地母線を接続するための接続具を説明する図である。
【発明を実施するための形態】
【００１４】
以下、最良の実施形態を添付図面を参照しながら説明する。図１，２，３は本実施形態にかかる配電盤を説明する図であり、図１は単位配電盤の正面図、図２は図１のＡ−Ａ断面図、図３は図２のＢ−Ｂ断面図である。
【００１５】
図において、１は単位配電盤、４は平板状の給電母線であり、前記単位配電盤１の筐体１１の上部空間に水平に、例えば３本配置されている。５は接地母線であり、前記筐体の下部空間に水平に、例えば１本配置されている。６は配電盤ユニットであり、遮断器等の主回路機器７，継電器等の補助回路機器８を搭載する。９は外部接続電線であり、補助回路機器を外部保護回路等に接続する。１０はケーブルであり、外部の負荷に接続されている。１２はケーブルと主回路機器とを接続するための主回路端子台である。
【００１６】
図１，２，３，に示すように、単位配電盤１の筐体１１内には複数の配電盤ユニット６を搭載する。複数の配電盤ユニット６は、筐体１１内に縦方向に搭載され、それぞれの配電盤ユニット６は、例えば、該配電盤ユニット６を介して、母線２とケーブル９を接続する。これにより、前記母線からの電力を前記制御ユニット６により制御して前記ケーブル１０を介して外部に出力することができる。
【００１７】
図４は、単位配電盤１ａ、１ｂ、１ｃを列盤接続した例を説明する図（正面図）である。図４に示すように、単位配電盤１ａ、１ｂ、１ｃを並べて配置する。このとき単位配電盤１ａ、１ｂ、１ｃの型式が相互に異なると、単位配電盤１ａの上部空間に配置した給電母線４ａ、単位配電盤１ｂの上部空間に配置した給電母線４ｂ、および単位配電盤１ｃの上部空間に配置した給電母線４ｃの位置はそれぞれ異なり、これらは、一つの直線上に配置されない場合が生じる。
【００１８】
同様に、単位配電盤１ａの下部空間に配置した接地母線５ａ、単位配電盤１ｂの下部空間に配置した接地母線５ｂ、単位配電盤１ｃの下部空間に配置した接地母線５ｃの位置はそれぞれ異なり、これらは、一つの直線直線上に配置されない場合が生じる。
【００１９】
図５は、上述のように、一つの直線上に配置されていない母線を接続するための接続導体を説明する図である。図５において、４０は単位配電盤１ａに収容された給電母線４ａと単位配電盤１ｂに収容された給電母線４ｂとを接続する母線接続導体であり、前記母線４ａの一端にその一端がろう付け等の手段により固着された平編銅ケーブル等からなる可撓性導体４１、および前記可撓性導体の他端に取り付けられ、隣接する母線に締結するための貫通孔を具備した接続端子４２を備えている。
【００２０】
図６は、一つの直線上に配置されていない接地母線を接続する例を説明する図である。図６において、５０は単位配電盤１ａに収容された接地母線５ａと単位配電盤１ｂに収容された接地母線５ｂとを接続する接地母線接続導体であり、前記母線５ａの一端にその一端がろう付け等の手段により固着された平編み銅ケーブル等からなる可撓性導体５１、および前記可撓性導体の他端に取り付けられ、隣接する母線に締結するための貫通孔を具備した接続端子５２を備えている。
【００２１】
以上説明したように、本実施形態によれば、隣接する単位配電盤に収容した給電母線４ａ、４ｂ間あるいは接地母線５ａ、５ｂ間、あるいは給電母線４ａ、４ｃ間あるいは接地母線５ａ、５ｃ間を可撓性を有する接続導体で接続するので、型式の異なる単位配電盤であっても容易に列盤を構成することができる。
【００２２】
また、可撓性を有する導体として放熱性が良好な平編銅ケーブルを用いるので、ケーブルを過熱することなく大電流を流すことができる。また、本発明の接続方式によれば、隣接する配電盤間でその形式が異り、あるいは据え付け位置に偏差があり、接続する母線導体間での接続位置に偏差が生じていても、この偏差を可撓性導体部分で吸収して両導体を容易に接続することができる。
【符号の説明】
【００２３】
１  単位配電盤
４  給電母線
５  接地母線
６  配電盤ユニット
７  主回路機器
８  補助回路機器
９  外部電線
１０  ケーブル
１２  主回路端子台
４０  母線接続導体
５０  接地母線接続導体
【図１】
2010206894.tif 000003
【図２】
2010206894.tif 000004
【図３】
2010206894.tif 000005
【図４】
2010206894.tif 000006
【図５】
2010206894.tif 000007
【図６】
2010206894.tif 000008